(57)【要約】【課題】  品質のよい可動形の固定側接触子を含む回路遮断器の開閉接触子装置を提供することを目的とする。【解決手段】  開閉機構（２）と端子導体（１１）を有する回路遮断器の開閉接触子装置であって、可動形の固定側接触子（８）と、開閉機構の操作によって固定側接触子と接触及び開離する可動側接触子（３）と、固定側接触子の一端を可動側接触子方向に付勢する第１接圧ばね（９）と、固定側接触子の他端を端子導体方向に付勢して該端子導体と接触させる第２接圧ばね（１０）と、固定側接触子と第１接圧ばねと第２接圧ばねとを収納する絶縁ケース（７）とを有する開閉接触子装置において、固定側接触子の他端には端子導体に向かって断面が略半円形である接触腕（１３）を有し、絶縁ケースには接触腕の半円の直径部分がはまり込む端子導体方向に向かうガイド溝（１４）を有している。【選択図】  図１
2007172838.tif 000002
【特許請求の範囲】
【請求項１】
開閉機構と端子導体を有する回路遮断器の開閉接触子装置であって、可動形の固定側接触子と、前記開閉機構の操作によって前記固定側接触子と接触及び開離する可動側接触子と、前記固定側接触子の一端を前記可動側接触子方向に付勢する第１接圧ばねと、前記固定側接触子の他端を前記端子導体方向に付勢して該端子導体と接触させる第２接圧ばねと、前記固定側接触子と前記第１接圧ばねと前記第２接圧ばねとを収納する絶縁ケースとを有する前記開閉接触子装置において、
前記固定側接触子の前記他端には前記端子導体に向かって断面が略半円形である接触腕を有し、
前記絶縁ケースには前記接触腕の半円の直径部分がはまり込む前記端子導体方向に向かうガイド溝を有していることを特徴とする回路遮断器の開閉接触子装置。
【発明の詳細な説明】
【技術分野】
【０００１】
本発明は、回路遮断器の開閉接触子装置、特に可動形の固定側接触子を有する開閉接触子装置に関する。
【背景技術】
【０００２】
回路遮断器の開閉接触子装置には、固定側接触子と開閉機構に連結した可動側接触子と、電流を安定して通電できるように両接触子間に所定の接触圧力を発生させる接圧ばねとが設けられる。この開閉接触子装置は、接触部の多少の磨耗や開閉機構部の多少の寸法ずれがあっても安定した接触状態を維持できるように、ワイプ機能を有する構成となっている。ワイプ機能は、ＯＮ動作において両接触子が接触した直後も開閉機構が暫時動作を続けて、この暫時動作中に、一方の接触子が相対的に押し込まれるように移動することによって確認でき、この押込み量はワイプ量と呼ばれる。ワイプ量がゼロになれば接触圧力がなくなる。
以下に、固定側接触子に接圧ばねが設けられた回路遮断器の従来技術について説明する。なお、本明細書において固定側接触子とは、完全に動かないように固定されたものではなく、開閉機構によって操作される可動側接触子に対して、開閉機構によって操作されない可動形の接触子を意味するものである。
【０００３】
図４は、特許文献１に開示されている従来の開閉接触子装置を含む、ＯＮ状態にある回路遮断器を示す側面図である。この回路遮断器は引出形であって、引出枠１０１と、引出枠１０１内を左右方向に移動する遮断器本体１０２とを有する。引出枠１０１には外部の導体が接続される入力側と出力側の端子１０３が設けられている。遮断器本体１０２の開閉接触子装置はブリッジ形であって、詳細が図示されていない開閉機構１０４の操作によって左右方向に移動する可動側接触子１０５と、可動側接触子１０５の上下の両端と接触する２個の固定側接触子１０６とを含む。なお、２個の固定側接触子１０６は上下対称に設けられているため、以下、上側の固定側接触子１０６について説明する。
【０００４】
図４の状態において、固定側接触子１０６は、その下端付近で接圧ばね１０７によって付勢されて可動側接触子１０５と接触し、その上端付近で接圧ばね１０８によって付勢されて端子１０３と接触している。固定側接触子１０６は、接圧ばね１０７及び接圧ばね１０８と共にユニット絶縁ケース１０９に収納されており、固定側接触子１０６の上端付近に形成された長孔１０６ａと長孔１０６ａを挿通する固定ピン１１０によってその移動が制限されている。
【０００５】
この回路遮断器をＯＦＦにするため開閉機構１０４を操作すると、図４の状態において、可動側接触子１０５が左方向に移動し、この移動に追随して接圧ばね１０７の作用により、可動側接触子１０５と接触した状態で固定側接触子１０６の下端も左方向に移動する。すなわち、固定側接触子１０６が、その上端部を中心とした略回転動作をする。そして、固定側接触子１０６の中央部がユニット絶縁ケース１０９の壁１０９ａと接触したとき固定側接触子１０６の移動が停止して可動側接触子１０５だけが左方向に移動して、図示していないが可動側接触子１０５と固定側接触子１０６が開離する。このときの固定側接触子１０６の下端部の移動量が前述したワイプ量である。すなわち、ＯＦＦ操作と逆のＯＮ操作を行うと、可動側接触子１０５が右方向に移動して固定側接触子１０６と接触したあと、固定側接触子１０６が、可動側接触子１０５によってワイプ量に相当する寸法押し込まれる。
【０００６】
次に、このような引出形回路遮断器の端子１０３と固定側接触子１０６の接触について説明する。双方の部材の接触には、前述の開閉接触子装置と同様に、所定の接触圧力とワイプ量が必要であり、接触圧力は遮断器本体１０２が挿入状態で、且つ、ＯＮ状態にあるとき、接圧ばね１０８によって得られる。
【０００７】
一方、ワイプ量は、図４において、固定ピン１１０と長孔１０６ａの左端縁との隙間寸法（Ｇ１）に相当する固定側接触子１０６の上端部の移動量である。すなわち、例えば端子１０３と固定側接触子１０６との接触面が磨耗すると、固定ピン１１０と長孔１０６ａの左端縁との隙間寸法が小さくなる。そして、双方が接触すると端子１０３と固定側接触子１０６との間に接圧ばね１０８が作用しなくなり、接触圧力が得られなくなる。
【０００８】
なお、この引出形回路遮断器の引出操作における動作を簡単に説明する。ＯＦＦの状態で図示されていない引出機構を操作すると、遮断器本体１０２は左方向へ移動するが、固定側接触子１０６は遮断器本体１０２内で時計方向に回転して、固定側接触子１０６の上部と端子１０３との接触状態が暫時維持される。そして、固定ピン１１０と長孔１０６ａの左端縁が係合したあとは、固定側接触子１０６の回転動作が停止して、固定側接触子１０６と端子１０３が開離して断路位置となる。
【特許文献１】特許２７０９２５１号公報
【発明の開示】
【発明が解決しようとする課題】
【０００９】
この従来の開閉接触子装置の固定側接触子１０６に形成された長孔１０６ａと固定ピン１１０には次のような条件が必要である。第１の条件は、長孔１０６ａと固定ピン１１０との上下方向の隙間を小さくすることである。この条件により、開閉機構の動作によって固定側接触子１０６の下端部が移動しても、上端部の上下方向の移動が制限されため端子１０３との摺動が最小限になり、固定側接触子１０６の上端部と端子１０３の良好な接触状態が維持される。
【００１０】
第２は、固定側接触子１０６が固定ピン１１０に沿って円滑に移動することである。この条件により、例えば、端子１０３と固定側接触子１０６との接触面の磨耗などがあっても、固定接触子１０６の上端が端子１０３方向に円滑に移動するため、ワイプ機能が働いて固定側接触子１０６と端子１０３の良好な接触状態が維持される。
【００１１】
しかし、細い固定ピン１１０と幅の小さい長孔１０６ａの間で大きな摩擦が生じないようにするには、寸法や形状を精密に管理する必要があるという問題があった。
したがって、本願発明は、良好な接触状態とワイプ量を維持できる品質のよい可動形の固定側接触子を含む回路遮断器の開閉接触子装置を提供することを目的とする。
【課題を解決するための手段】
【００１２】
上記の問題を解決するために、請求項１の発明は、開閉機構と端子導体を有する回路遮断器の開閉接触子装置であって、可動形の固定側接触子と、開閉機構の操作によって固定側接触子と接触及び開離する可動側接触子と、固定側接触子の一端を可動側接触子方向に付勢する第１接圧ばねと、固定側接触子の他端を端子導体方向に付勢して該端子導体と接触させる第２接圧ばねと、固定側接触子と第１接圧ばねと第２接圧ばねとを収納する絶縁ケースとを有する開閉接触子装置において、固定側接触子の他端には端子導体に向かって断面が略半円形である接触腕を有し、絶縁ケースには接触腕の半円の直径部分がはまり込む端子導体方向に向かうガイド溝を有していることとしている。
【発明の効果】
【００１３】
請求項１の発明は、前述した従来の開閉接触子装置の固定側接触子１０６が内部に形成された幅寸法の小さい長孔１０６ａと細い固定ピン１１０によってその移動が制限されるのとは異なり、固定側接触子の腕の、長孔１０６ａの幅寸法に比較して寸法的にかなり大きい外形において、絶縁ベースのガイド溝によって移動が制限されることとなるため摩擦が小さくなり、良好な接触状態とワイプ量を維持できる品質のよい回路遮断器を提供できるという効果を奏する。
【発明を実施するための最良の形態】
【００１４】
本発明を実施するための最良の形態を、図１及び図２に示されている実施例において説明する。
図１は、本発明による開閉接触子装置を装着し遮断器本体を有する引出形の回路遮断器を示している。この回路遮断器の遮断器本体は、本願発明の要部ではないため詳細説明を省略する投入ばね１を利用した開閉機構２と、ブリッジ形の開閉接触子装置とを有する。この開閉接触子装置は、開閉機構２の操作によって左右方向に移動する可動側接触子３と、可動側接触子３の上端部と下端部とに設けられた開閉接点４と、可動側接触子３の開閉接点４に対応して設けられた上側と下側の固定側接触子ユニット５とを有する。この固定側接触子ユニット５は、この回路遮断器の本体絶縁ベース６に着脱自在なるように構成されている。なお、この回路遮断器の引出枠は、図１において、端子導体１１だけが示されており他の部材の図示は省略されている。
【００１５】
以下に、上下対称の上側と下側の固定側接触子ユニット５の構成を、代表して上側の固定側接触子ユニット５について説明する。固定側接触子ユニット５は、ユニット絶縁ケース７並びにユニット絶縁ケース７内に収納される固定側接触子８、第１接圧ばね９、第２接圧ばね１０などの部材によって構成されている。固定側接触子８は、下端部から可動側接触子３方向に折れた腕の先端に可動側接触子３の開閉接点４と接触／開離する開閉接点１２を有し、上端部からは端子導体１１の方向に向かって略半円形である接触腕１３を有している。
【００１６】
第１接圧ばね９は、固定側接触子８の下端部を可動側接触子３の開閉接点４方向に付勢している。第２接圧ばね１０は固定側接触子８の上端部を端子導体１１方向に付勢して、固定側接触子８の接触腕１３の右端部を端子導体１１に接触させている。
ユニット絶縁ケース７には第２接圧ばね１０の付勢方向に沿って略半円形の接触腕１３の直径寸法に相当する対向幅の上下の壁によってガイド溝１４が形成されており、接触腕１３がこのガイド溝１４内に位置している。
【００１７】
このような構造の実施例の開閉接触子装置のＯＦＦ動作について説明する。図１の状態において、開閉機構２をＯＦＦ操作すると、可動側接触子３が左方向へ移動し、この移動に追随して第１接圧ばね９の作用により、開閉接点４と開閉接点１２とが接触した状態で固定側接触子８の下端部も左方向に移動する。そして、固定側接触子８の中央部がユニット絶縁ケース７に取り付けられたストッパ１５と接触したとき固定側接触子８の移動が停止して開閉接点４と開閉接点１２が開離し、さらに可動側接触子３だけが左方向に移動したＯＦＦ状態となる。ＯＦＦ状態にあるときの固定側接触子ユニット５の状態が図２（ａ）に示されており、このＯＦＦ動作中の開閉接点１２の移動量がワイプ量となる。
【００１８】
ＯＦＦ状態にある開閉接触子装置は、投入ばね１を放勢することによって可動側接触子３が急速に右方向へ移動し、ＯＦＦ動作とは逆の動作により開閉接点４と開閉接点１２が接触し、図１のＯＮ状態となる。
このようにＯＮ／ＯＦＦ操作による開閉接点１２の左右方向への移動が生じても、固定側接触子８の上端部の接触腕１３が端子導体１１の左端部とユニット絶縁ケース７のガイド溝１４とによって移動制限を受けているため、固定側接触子８の接触腕１３は小さい角度で往復回転運動をするだけで接触腕１３は端子導体１１と安定した接触状態を維持する。
【００１９】
次に、この引出形回路遮断器の端子導体１１と固定側接触子８の接触について説明する。両部材の接触圧力は遮断器本体が挿入状態にあるとき、第２接圧ばね１０によって得られる。
また、ワイプ量は、図２（ａ）において、固定側接触子８の上端部と絶縁ベース７の隙間寸法（Ｇ２）に相当する接触腕１３の右方向への相対的な移動量である。すなわち、従来の技術で述べたのと同様に例えば端子導体１１と固定側接触子８の接触腕１３との接触面が磨耗するとこの隙間寸法が小さくなる。
【００２０】
なお、この引出形回路遮断器の引出操作における動作を簡単に説明する。ＯＦＦ状態において引出操作を行うと遮断器本体が左方向へ移動するが、固定側接触子８の接触腕１３は遮断器本体内で第２接圧ばね１０の作用によりガイド溝１４に沿って摺動し、接触腕１３と端子導体１１との接触状態が暫時維持される。そして、固定側接触子８の上端部が絶縁ベース７に係合したあとは固定側接触子８の接触腕１３の摺動が停止して、固定側接触子８と端子導体１１が開離した断路位置となる。
【００２１】
以上、引出形回路遮断器に設けられた本発明による実施例の開閉接触子装置について説明したが、本発明による開閉接触子装置は引出枠のない固定形回路遮断器に設けることもできる。図３はこの固定形回路遮断器に取り付けられる固定側接触子ユニットの図であって、端子導体１６が絶縁ベース７に固定して設けられている点で引出形回路遮断器とは異なっているが、開閉動作における固定側接触子８の動作は引出形のものと変わりはない。
【図面の簡単な説明】
【００２２】
【図１】本発明による実施例の開閉接触子装置を装着した引出形回路遮断器のＯＮ状態における側面断面図である。
【図２】図１の回路遮断器の遮断器本体が、（ａ）挿入位置、及び（ｂ）断路位置にあるときの、ＯＦＦ状態における固定側接触子ユニットと端子導体とを示す部分側面断面図である。
【図３】本発明による実施例の開閉接触子装置を装着した固定形回路遮断器の固定側接触子ユニットを示す部分側面断面図である。
【図４】従来の開閉接触子装置を含む回路遮断器の側面断面図である。
【符号の説明】
【００２３】
１  投入ばね
２  開閉機構
３  可動側接触子
４  開閉接点
５  固定側接触子ユニット
６  本体絶縁ベース
７  ユニット絶縁ケース
８  固定側接触子
９  第１接圧ばね
１０  第２接圧ばね
１１  端子導体
１２  開閉接点
１３  接触腕
１４  ガイド溝
１５  ストッパ
１６  端子導体
【図１】
2007172838.tif 000003
【図２】
2007172838.tif 000004
【図３】
2007172838.tif 000005
【図４】
2007172838.tif 000006